(57)【要約】      （修正有）【課題】着脱を容易に行うことができると共に、運搬も容易で、公認器具としての認定を受けやすい着脱スタート台用基台を提供する。【解決手段】スタート台用基台１を、スタート台を設置する上部１０、プール面に対向させる起立部２０、および固定用の基部３０から構成する。上部および起立部を側面視横向きＬ字状に構成し、上部はその周囲に形成された枠体１１と、この枠体に支持され、かつ枠体に対して着脱自在に設けた嵌込部材１２からなる。枠体は、嵌込部材を取り外した状態で、人が枠体の内側に入り、かつボルトの脱着作業が可能となる内側空間を具備しており、少なくとも嵌込部材を合成樹脂材料で形成する。【選択図】図４
0003197675.tif 000002
【実用新案登録請求の範囲】
【請求項１】
スタート台用基部を、スタート台を設置する上部、プール面に対向させる起立部、および固定用の基部からなり、上部および起立部を側面視横向きＬ字状に構成し、上部は、その周囲に形成された枠体と、この枠体に支持され、かつ枠体に対して着脱自在に設けた嵌込部材からなり、上記枠体は、嵌込部材を取り外した状態で、人が枠体の内側に入り、かつボルトの脱着作業が可能となる内側空間を具備しており、少なくとも上記嵌込部材を合成樹脂材料にて形成していることを特徴とする水泳プール用スタート台用基台。
【請求項２】
請求項１記載のスタート台用基台において、プール面に対向させる起立部は、プール面側に滑り止め加工となる特殊塗装を施してなる水泳プール用スタート台用基台。
【考案の詳細な説明】
【技術分野】
【０００１】
本考案は、水泳プールにおける、着脱式のスタート台用基台に関する。
【背景技術】
【０００２】
水泳プールのうち、競泳用プールにおいて、公認記録が取得できるよう、公益財団法人 日本水泳連盟プール公認規則に則って、縦方向に５０メートル（長水路）競技を、横方向に２５メートル（短水路）競技を行うことができる水泳プールが普及しつつあり全国各地に設置されようとしている。また、短水路競技は、近年競技数が増加傾向にあって、世界水泳の競技種目ともなっており、短水路競技ができるこのような水泳プールの要請が高まっている。
【０００３】
このような競泳用プールで競技を行う際には、５０メートル競技の時のスタート位置と、２５メートル競技の時のスタート位置は、水泳プール周囲の短辺側と長辺側とに異なって配置されることとなる。したがって、スタート台は、競技の種類によっていずれかの側に設置されるため、スタート台の位置を競技に合わせて変更しなければならない。
このような水泳プールにおいて、スタート台は、着脱式のスタート台用基台が用いられて、この基台上にスタート台が設置される。そして、従来品のスタート台用基台５０は、図６に示すように、平面視に現れる上部５１、正面に現れる起立部５２のそれぞれの形状が長方形で、これらが側面視横向きＬ字状に構成されており、また上部５１を規定の高さに支持するための固定部５３が設けられており、この固定部５３がプールサイドに固定される構成となっている。
【０００４】
上記、スタート台用基台５０は、上部５１および起立部５２が平板状に構成され、固定部５３は、固定ベースとなる長板状の基部５３ａと、基部５３ａ上に設けられた上記上部５１を支持する支持部５３ｂとからなっている。
そして基部５３ａには、プールサイドに固定するための固定孔５３ｃが形成され、この固定孔５３ｃを介して設けられる固定用ボルト（図示せず）がプールサイド側のアンカーに締結されて、当該スタート台用基台５０が固定されてなるものである。
【０００５】
そして、これらの上部５１、起立部５２、および固定部５３は腐食に抗するためいずれもステンレス素材から全体が構成され、かつ各部は一体形成されてなるものであった。
【考案の概要】
【考案が解決しようとする課題】
【０００６】
しかしながら、上記従来のスタート台用基台５０は、公認の認定を受けるため、頑丈でかつ寸法精度を維持するため、全体がステンレス素材にて一体構成されることにより全体の重量が重くなる欠点があり、一般的な従来品では約７５キログラムもあった。このため、当該スタート台用基台を設置したり、取り外したりする際には、大人が４人がかりで運搬する必要がある。したがって、この従来のスタート台用基台は、種類の異なる競技が開催される度に所定位置に運搬すると共に、規定の場所への設置作業を行う際、設置作業が困難であるという問題点があった。
【０００７】
そして、このスタート台用基台５０をプールサイドに固定するための固定用ボルトは、スタート台用基台５０の上部５１下に生ずる空間ｓ内に、人が横から入り込んで固定用ボルトを締めたり緩めたりする必要があった。上部５１の上に設置される競技に使用されるスタート台の高さは、このスタート台用基台５０上にスタート台が設置され、スタート台が規定通りの位置になるよう設置されなければならない。このため、上部５１の下に形成される上記空間ｓは、人が潜り込んで作業するには狭い空間となっている。この空間ｓ内に入り込んで、プールサイドに設けられたベンチマーク位置と、当該スタート台用基台５０に設けられたベンチマークの位置とを正確に合わせながら、固定孔５３ｃを介して固定用ボルトをアンカーに締め付ける作業を要求されるものであった。したがって、この空間ｓ内にある固定孔５３ｃを介してのボルト締結作業は、ベンチマーク同士の位置合わせを重量のあるスタート台用基台５０を微妙に動かしながらの作業となり、大変困難であるという問題点を有するものであった。
【０００８】
さらに、この従来のスタート台用基台５０では、プール側の起立部５２がステンレス素材から構成されていてノンスリップ面ではないため、この起立部５２に対して滑止め手段の追加をしなければ公認器具として認定されないという問題点も包含するものであった。
そこで、この考案の水泳プール用着脱スタート台用基台は、スタート台用基台の着脱を容易に行うことができると共に、スタート台用基台の運搬も容易で、公認器具としての認定を受けやすい着脱スタート台用基台を提供することを目的としている。
【課題を解決するための手段】
【０００９】
本考案は、上記目的を達成するため、水泳プール用スタート台用基部を、スタート台を設置する上部、プール面に対向させる起立部、および固定用の基部からなり、上部および起立部を側面視横向きＬ字状に構成し、上部は、その周囲に形成された枠体と、この枠体に支持され、かつ枠体に対して着脱自在に設けた嵌込部材からなり、上記枠体は、嵌込部材を取り外した状態で、人が枠体の内側に入り、かつボルトの脱着作業が可能となる内側空間を具備しており、少なくとも上記嵌込部材を合成樹脂材料にて形成していることを特徴とするものである。
【００１０】
また、このスタート台用基台は、プール面に対向させる起立部は、プール面側に滑り止め加工となる特殊塗装を施してなるものである。
【考案の効果】
【００１１】
本考案によれば、スタート台用基部を構成する上部において、周囲に形成された枠体と、この枠体に支持され、かつ枠体に対して着脱自在に設けた嵌込部材を設けており、少なくともこの嵌込部材を合成樹脂で形成しているため、全体がステンレス素材から構成された従来のスタート台用基部に比較して軽量に形成することができる。
また、この上部において、当該スタート台用基台をプールサイドへ設置する際、嵌込部材を分離してスタート台用基台を移動させることができるようになり、スタート台用基台を簡単に持ち運びができるようになる、という特有の効果を有するものである。
【００１２】
さらに、上記上部は、上面となる周囲に形成された枠体と、この枠体の内側に支持された着脱自在な嵌込部材からなっている。そして、枠体は、嵌込部材を取り外した状態で、人が枠体の内側に入り、かつボルトの脱着作業が可能となる内側空間を具備するものであるから、当該スタート台用基台をプールサイドへ取り付たり取り外したりする際、上記嵌込部材を取り外した状態で、上記枠体の内側に入って固定用ボルトの脱着作業ができるようになる。したがって、固定用ボルトの脱着作業者は、上記枠体内において、スタート台用基台の位置合わせのためのベンチマークの確認を容易に行うことができるようになる。また、この位置合わせ作業の際、スタート台用基台を移動させる場合にも嵌込部材を取り外した状態で楽に行うことができると共に、従来例のように上部の下側に形成された狭い空間に横方向から人が入り込んでの作業を要することなく、脱着作業が格段に能率良くできるようになる。
【００１３】
また、起立部のプール面側に滑り止め加工となる特殊塗装を施したスタート台用基台においては、競泳選手がターンをする際の滑止め効果が顕著に期待できるものであり、公認の認定が受けやすくなるという特徴を有している。
【図面の簡単な説明】
【００１４】
【図１】実施形態のスタート台用基台においてスノコ状部材を一部切り欠いた状態の平面図。
【図２】実施形態の正面図。
【図３】実施形態のスタート台用基台をプール駆体に設置した断面図。
【図４】スタート台用基台の使用状態を示す斜視図。
【図５】プール駆体にねじ止め固定した状態の断面図。
【図６】従来例の斜視図。
【考案を実施するための形態】
【００１５】
次いで、本考案を実施するための最良の形態について説明する。この実施例のスタート台用基台１は、上部１０、起立部２０、および支持部３０の各部からなり、上部１０と起立部２０とを側面視横向きＬ字状に形成し、上部１０を規定位置に支持すると共にプールサイドに固定するための支持部３０から構成している。
上部１０は、上面の周囲に形成された枠体１１と、この枠体１１の内側に支持された着脱自在な嵌込部材としてのスノコ状部材１２からなっている。この上部１０は、競技の際に用いられるスタート台（図４の仮想線参照）を支持することができる。そして上部１０の平面視の大きさは、コースロープの間隔に合わせた幅で、かつ競技者がスタート台に安全に上ってスタートすることができる大きさに形成している。上部１０の大きさとしては、この実施例では平面視において６２０ミリ×２４９０ミリに形成している。
【００１６】
そして、枠体１１は、周囲のフレーム１１ａとなる部分と、嵌め込んだスノコ状部材１２を支持する桟部１１ｂ、１１ｃからなり、これらは強度保持のためステンレス素材にて形成している。桟部１１ｂ，１１ｃは、スノコ状部材１２を支持する強度を付与するため４０ミリ角の角材を用い、フレーム１１ａの両長辺にそれぞれ近接させて２本を設けている。また枠体１１の短辺方向には桟部１１ｃを設けている。これらの桟部１１ｂ,１１ｃは、互いに直行する方向に配置しているが、桟部１１ｂ,１１ｃで囲まれた内側の空間Ｓは、固定用ボルトの締結作業を行う人が作業可能な空間に形成している。
【００１７】
したがって、枠体１１からスノコ状部材１２を取り外した状態で、枠体１１の内側に形成された空間Ｓは、その空間Ｓ内に人が入ることができ、かつ固定用ボルトの脱着作業を容易に行うことができる空間となっている。
上記スノコ状部材１２は、この実施例では、合成樹脂材料を用いてスノコ状に形成したものであり、上記枠体１１のフレーム１１ａ内に設置可能な大きさに形成している。このスノコ状部材１２は、取り外しが可能であるため、スタート台用基台１の移動の際に、これを外した状態での運搬が可能になるものである。
【００１８】
スノコ状部材１２は、合成樹脂材料、例えば、ポリプロピレンにより形成しているが、本物品のスタート台用基台の上にスタート台が設置され、かつ、スタート台の利用の際に十分な強度が保持できるものであれば、合成樹脂材料を特に限定するものではない。
起立部２０は、上部１０と同様に枠体と嵌込部材から作成することで、軽量に作成することができるが、ステンレス素材を平板状に形成したもので形成することもできる。
【００１９】
枠体と嵌込部材とによって構成した場合には、嵌込部材に対して滑り止め加工となる特殊塗装を施すことができ、ステンレス素材から構成されている場合には、この面に直接特殊塗装を施すことができる。この実施例ではステンレス素材にて形成して特殊塗装を施した例を示している。
次に、支持部３０は、上部１０の短辺方向に設け、プールサイドに固定するための板状の固定部３０ａと、この固定部３０ａ上に設けた上記上部１０の桟部１１ｂ、１１ｃを支持する柱状部３０ｂから構成している。固定部３０ａは、互いの間隔を開けて３個所平行配置していると共に、各固定部３０ａ上に柱状部３０ｂを２個所設けている。固定部３０ａには、プールサイドに設けられたアンカーに対して締結する固定用ボルトｍの固定孔３０ｃ，３０ｄを間隔を開けて２個所設けている。これらの固定孔３０ｃ，３０ｄのうちの少なくとも一方は、スタート台用基台１を安定良く確実に固定するため、上部１０の下方に位置させている。したがって、奥側３個所の固定孔３０ｄは、上部１０のスノコ状部材１２の下方位置に配されることとなっている。
【００２０】
この実施例のスタート台用基台１では、上部１０のスノコ状部材１２を合成樹脂製にしていると共に、嵌込部材にて形成しているので、運搬時やボルト固定時には取り外すことができる。このため、スタート台用基台１を運搬する際、スノコ状部材１２が合成樹脂製であるため全体の重量を軽くすることができ、運搬が容易になり、また、このスノコ状部材１２を取り外して運搬することにより、さらに容易に運搬することができるようになるという特有の効果を有するものである。
【００２１】
また、スノコ状部材１２を着脱可能に構成しているので、固定用ボルトｍを取り付けたり、取り外したりする際に、枠体１１の内側の空間Ｓに人が入って作業することができるようになり、従来のように狭い空間に潜り込んで作業をする必要が無くなる。また、プールサイドのベンチマークと当該スタート台用基台１側のベンチマークとを合わせる際、スノコ状部材１２を取り外した状態で作業を行うことができ、当該スタート台用基台１を簡単に動かすことができるようになることとも相まって、締結作業を非常に容易に行うことができるようになるという特有の効果を奏するものである。
【００２２】
さらに、起立部２０に滑り止めの特殊塗装を施しているので、競泳選手が折り返しターンを行う際の滑り止めに寄与すると共に、公認器具としての認定が受けやすくなるという特徴も有するものである。
【符号の説明】
【００２３】
１…スタート台用基台、１０…上部、１１…枠体、１２…スノコ状部材（嵌込部材）、２０…起立部、３０…支持部（基部）
【図３】
0003197675.tif 000003
【図４】
0003197675.tif 000004
【図５】
0003197675.tif 000005
【図６】
0003197675.tif 000006
【図１】
0003197675.tif 000007
【図２】
0003197675.tif 000008